(57)【要約】【課題】本発明は、互換自在な置敷きフロアパネルと併用して必要個所にのみ配線溝を有するフリ−アクセスフロアを効率よく構成することが出来るのみならず、フリ−アクセスフロアのレイアウトや改装等に応じて配線溝を自由に、しかも、迅速かつ確実に作業効率よく増設し、また、撤去せしめることが出来る、配線用フロアパネルを提供するにある。【解決手段】略方形状とされたベ−ス部材３の少くとも外周縁に沿って所要数の脚柱４が立設されてなる脚体２と、該脚体２上に外嵌状に嵌着自在とされた方形状のカバ−パネル８とよりなる配線用フロアパネル１であって、上記配線用フロアパネル１はフリ−アクセスフロアを構成する置敷きフロアパネル１２とその幅・奥行・高さが同一寸法に設定されて互いに互換自在とされると共に、脚体２とカバ−パネル８との間に配線溝９を区画形成せしめるべく構成されている。【選択図】図１
2011190662.tif 000002
【特許請求の範囲】
【請求項１】
略方形状とされたベ−ス部材の少くとも外周縁に沿って所要数の脚柱が立設されてなる
脚体と、該脚体上に外嵌状に嵌着自在とされた方形状のカバ−パネルとよりなる配線用フ
ロアパネルであって、上記配線用フロアパネルはフリ−アクセスフロアを構成する置敷き
フロアパネルとその幅・奥行・高さが同一寸法に設定されて互いに互換自在とされると共
に、脚体とカバ−パネルとの間に配線溝を区画形成せしめるべく構成されてなることを特
徴とする、配線用フロアパネル。
【請求項２】
ベース部材上の中心に配線用取出しスペースを区画形成せしめるべく外周縁の脚柱と同
高状とされた所要数の脚柱が所定間隔をもって放射状に立設されると共に、該配線用取り
出しスペースに対応すべくカバーパネルに所要の配線用取り出し口が形成されてなること
を特徴とする、請求項１記載の配線用フロアパネル。
【請求項３】
カバ−パネルは強度の大な耐衝撃性を有する金属材料、非金属材料、または複合材料に
より形成されてなることを特徴とする、請求項１または２記載の配線用フロアパネル。
【発明の詳細な説明】
【技術分野】
【０００１】
本発明は、配線用フロアパネルに関し、さらに詳細には、互換自在な置敷きフロアパネ
ルと併用してフリ−アクセスフロアを構成し、室内に通信ケ−ブルやＯＡ機器等の配線を
外方に露出せしめることなく床面に沿わせて収容せしめることが出来る、配線用フロアパ
ネルに関する。
【背景技術】
【０００２】
従来より、配線溝を有するフリ−アクセスフロアとしては、下面に所要数の脚柱が一体
形成されてなる方形スノコ状の合成樹脂製置敷きフロアパネルを置敷き状に敷詰めて構成
されたものが知られている（特許文献１参照）。そして、かかるフリ−アクセスフロア下
に通信ケ−ブルやＯＡ機器等の配線を配設せしめるさいには、敷設する所要の置敷きフロ
アパネルと床面との間に区画形成されたスペ−スを利用して配設するものとされている。
【０００３】
しかしながら、上述の如く構成された従来のフリ−アクセスフロアは、単に置敷きフロ
アパネルを敷詰めて敷設するにすぎないものであるから、後発的にフリ−アクセスフロア
のレイアウトや改装等により配線を増設せしめる場合においては、決められた配線溝が存
在しないため一々所要の置敷きフロアパネルを取外して増設せざるを得ないものであって
、その増設作業が非常に面倒で手間がかかるのみならず、場合によっては置敷きフロアパ
ネルの脚柱に配線を踏みつけて断線する等のおそれがあるものである。
【０００４】
上述の如く構成された従来例の問題点を解決するものとして、上方に開口する十字形状
の配線溝が区画形成された方形体状の置敷きパネルと、該置敷きパネルの配線溝を閉塞す
るカバ−パネルとよりなる配線用フロアパネルが開示されている（特許文献１、及び非特
許文献１参照）。  
そして、上述の如く構成された配線用フロアパネルは、所要の床面に置敷き状に敷詰め
てフリ−アクセスフロアを構成すると共に、通信ケ−ブルやＯＡ機器等の配線を配線溝に
収容せしめつつカバ−パネルにより閉塞せしめて配設するものとされている。
【先行技術文献】
【特許文献】
【０００５】
【特許文献１】特開２００８−２８０７６７号公報
【特許文献２】実開平７−１１７１号公報
【非特許文献】
【０００６】
【非特許文献１】ＯＡフロアＭＰ型  積水テクノ成型株式会社〔２００９年１１月９日検索〕、インタ−ネット＜ＵＲＬ：ｈｔｔｐ：／／ｓｅｋｉｓｕｉ−ｔｅｃｈｎｏ−ｍｏｌｄｉｎｇ．ｊｐ／ｐｒｏｄｕｃｔｓ／ｏａ／ｉｎｄｅｘ．ｈｔｍｌ＞
【発明の概要】
【発明が解決しようとする課題】
【０００７】
ところで、上述の如く構成された配線用フロアパネルは、所要の床面の全面に敷設して
容易にフリ−アクセスフロアを構成せしめると共に、配線溝に通信ケ−ブルやＯＡ機器等
の配線を収容せしめてカバ−パネルにより閉塞せしめるものであるから、常に所要の配線
を適正に配設することが出来るのみならず、フリ−アクセスフロアのレイアウトや改装等
により配線を増設せしめる場合においても、カバ−パネルを取外すのみで容易に対応する
ことが出来るものである。
しかしながら、かかる配線用フロアパネルは、上方に開口する十字形状の配線溝が区画
形成された方形体状の置敷きパネルと、該配線溝を閉塞せしめるカバ−パネルとより構成
されているものであるから、構造が非常に複雑であり、その製作が非常に面倒でコスト高
となるのみならず、敷設してフリ−アクセスフロアを構成する場合においてもその全面に
わたって格子状の配線溝を形成するものとなり、ひいては、不必要な個所にまで配線溝を
形成せしめざるを得ないものであって、非常に効率が悪く不経済である。
【０００８】
このため、例えば、かかる配線用フロアパネルと前記記載の置敷きフロアパネルとを併
用して必要な個所にのみ配線溝を構成することが考えられるが、後発的にフリ−アクセス
フロアのレイアウトや改装等を行なう場合は両者の寸法が相違するために全面的な敷き替
えが余儀なくされ、その作業が非常に面倒で手間がかかるものである。
【０００９】
なお、配線用取出し口の位置は、従来より脚体と脚体との間の配線溝の位置から配線を
取出すものとされているため、カバーパネルに形成する配線用取出し口の開口部分でパネ
ルの耐荷重強度が低下する傾向にあった。このため、開口がない場合よりカバ−パネルの
板圧を厚くして強度を維持する必要があり、ひいては、コストのアップを招来せしめてい
た。
【００１０】
本発明は従来の課題を解決しようとするもので、互換自在な置敷きフロアパネルと併用
して必要個所にのみ配線溝を有するフリ−アクセスフロアを効率よく構成することが出来
るのみならず、フリ−アクセスフロアのレイアウトや改装等に応じて配線溝を自由に、し
かも、迅速かつ確実に作業効率よく増設し、また、撤去せしめることが出来る、配線用フ
ロアパネルを提供するにある。
【課題を解決するための手段】
【００１１】
上記の目的を達成するため、本願発明の請求項１記載の発明は、略方形状とされたベ−
ス部材の少くとも外周縁に沿って所要数の脚柱が立設されてなる脚体と、該脚体上に外嵌
状に嵌着自在とされた方形状のカバ−パネルとよりなる配線用フロアパネルであって、上
記配線用フロアパネルはフリ−アクセスフロアを構成する置敷きフロアパネルとその幅・
奥行・高さが同一寸法に設定されて互いに互換自在とされると共に、脚体とカバ−パネル
との間に配線溝を区画形成せしめるべく構成されてなることを特徴とする、配線用フロア
パネルを要旨とするものである。  
【００１２】
本願発明の請求項２記載の発明は、ベース部材上の中心に配線用取出しスペースを区画
形成せしめるべく外周縁の脚柱と同高状とされた所要数の脚柱が所定間隔をもって放射状
に立設されると共に、該配線用取り出しスペースに対応すべくカバーパネルに所要の配線
用取り出し口が形成されてなることを特徴とする、請求項１記載の配線用フロアパネルを
要旨とするものである。  
【００１３】
本願発明の請求項３記載の発明は、カバ−パネルが強度の大な耐衝撃性を有する金属材
料、非金属材料、または複合材料により形成されてなることを特徴とする、請求項１また
は２記載の配線用フロアパネルを要旨とするものである。  
【発明の効果】
【００１４】
請求項１記載の発明は、上述のように構成されているから、置敷きフロアパネルとその
幅・奥行・高さが同一寸法とされた互換自在であるため、併用して必要個所にのみ配線溝
を有するフリ−アクセスフロアを極めて容易に、しかも効率よく短納期で構成することが
出来る。更に、後発的にフリ−アクセスフロアのレイアウトや改装等を行なう場合におい
ても、置敷きフロアパネルと適宜自由に敷替え、適正な配線溝を自由に、しかも迅速かつ
確実に効率よく増設し、また、撤去せしめることが出来るものである。また、従来の配線
用フロアパネルに比して構造が簡単で軽量化されているため、コンパクトな梱包が可能と
なり、輸送コストが低減出来るものである。
【００１５】
請求項２記載の発明は、上述のように構成されているから、外嵌状に嵌着せしめるカバ
ーパネルの配線用取出し口周縁を放射状に立設された脚柱群でもって支持せしめつつ、配
線を取出すことが出来るものであって、ひいては、カバーパネルの耐荷重強度の低下を確
実に防止せしめることが出来るものである。
【００１６】
請求項３記載の発明は、上述のように構成されているから、ピンヒ−ル等の先端の細い
履物によりカバーパネルを踏み抜く事故を有効に防止せしめることが出来るものである。
また、カバ−パネルはベース部材及び脚体と異なる線膨張率の材料を使用して置敷きフロ
アパネルと隣接設置することで、室温変化による置敷きフロアパネルの膨張・収縮の影響
を緩和遮断し、フロア面に不陸が生じることを有効に防止せしめることが出来るものであ
る。
【図面の簡単な説明】
【００１７】
【図１】本発明の一実施例を示す分解斜視図である。
【図２】実施例の脚体２にカバ−パネル８を嵌着せしめた状態を示す斜視図である。
【図３】実施例の脚体２にカバ−パネル８を嵌着せしめた状態を示す平面図である。
【図４】図３のＡ−Ａ線に沿う断面図である。
【図５】図３のＢ−Ｂ線に沿う断面図である。
【図６】実施例の配線用フロアパネル１に置敷きフロアパネル１２を併用してフリ−アクセスフロアを構成せしめた使用状態を示す斜視図である。
【発明を実施するための形態】
【００１８】
以下に、本発明を実施するための形態を図面に示す一実施例に基づいて詳細に説明する
。  
【００１９】
本発明の一実施例を示す図１乃至図６中、１は配線用フロアパネルで、該配線用フロア
パネル１は後記する置敷きフロアパネル１２とその幅・奥行・高さを同一寸法に設定し、
互いに互換性を有するものとされている。２は上記配線用フロアパネル１を構成する脚体
で、該脚体２は略方形格子枠状とされたベ−ス部材３の外周縁に沿って各々中空状脚柱４
が所定間隔毎に立設されると共に、該各脚柱４の上端部には掛止段部５が各々形成されて
いる。６はベース部材３上の中心に配線用取出しスペース７を区画形成せしめるべく所定
間隔でもって放射状に立設された所要数の中空状脚柱で、該各脚柱６は上記脚柱４と同高
状に設定されている。８は上記脚体２の半部を各々カバ−して脚体２との間に配線溝９を
区画形成せしめるべく矩形状に形成された一対のカバ−パネルで、該各カバ−パネル８の
外周縁には脚柱４に嵌合掛止せしめるべく掛止用フランジ１０が折曲形成されると共に、
同一側縁に配線用取出し口１１が形成されている。そして、上記カバ−パネル８は強度が
大な耐衝撃性を有する鋼等の金属材料、アルミニウム合金等の非金属材料、あるいは繊維
強化プラスチックなどの複合材料より形成されている。
その他、１２はフリ−アクセスフロアを構成する脚柱一体型の方形体状とされたスノコ
状置敷きフロアパネルで、該置敷きフロアパネル１２は上記配線用フロアパネル１と同一
寸法に形成され、互いに互換自在とされている。  
【００２０】
上述のごとく構成された実施例は、図６に示すように、所要の床面（図示略）上に置敷
きフロアパネル１２を置敷き状に敷詰めつつ、通信ケ−ブルやＯＡ機器等の配線を配設せ
しめる個所に配線用フロアパネル１を置敷き状に敷詰めて敷設する。次いで、所要の配線
を順次配線溝９に収容せしめたのち、掛止用フランジ１０を各々脚柱４に嵌合掛止せしめ
つつカバ−パネル８を脚体２上に外嵌状に嵌着せしめ、配線溝９を閉塞すると共に、配線
用取出し口１１を配線用取出しスペース７に合致せしめてフリ−アクセスフロアを構成す
る。このさい、同一寸法に形成された互換自在な置敷きフロアパネル１２と併用してフリ
−アクセスフロアを構成するものであるから、従来例に比して、配線用フロアパネル１を
通信ケ−ブルやＯＡ機器等の配線の配設個所にのみ配線溝９を非常に効率よく短納期で構
成せしめることが出来る。また、外嵌状に嵌着せしめるカバーパネル８の配線用取出し口
１１周縁を放射状に立設された脚柱６でもって支持せしめつつ、配線を取出すことが出来
るものであって、ひいては、カバーパネル８の耐荷重強度の低下を確実に防止せしめるこ
とが出来るのみならず、カバ−パネル８は掛止用フランジ１０を脚体２に外嵌状に嵌着せ
しめるものであるから、横づれ等を生じることなく確実に嵌着せしめることが出来る。ま
た、かかるカバ−パネル８は強度の大な耐衝撃性を有する金属材料、非金属材料、あるい
は複合材料により形成されているから、ピンヒ−ル等の先端の細い履物によりカバーパネ
ル８を踏み抜く事故を有効に防止せしめることが出来るものである。さらに、カバ−パネ
ル８はベース部材３及び脚体２と異なる線膨張率の材料を使用して置敷きフロアパネル１
２と隣接設置するため、室温変化による置敷きフロアパネル１２の膨張・収縮の影響を緩
和遮断し、フロア面に不陸が生じることを有効に防止せしめることが出来るものである。
【００２１】
そして、後発的にフリ−アクセスフロアのレイアウトや改装等を行なう場合においても
、配線用フロアパネル１と置敷きフロアパネル１２とは互いに互換自在な同一寸法に形成
されているから、配線用フロアパネル１と置敷きフロアパネル１２とを適宜自由に敷替え
、適正な配線溝９を自由に、しかも、迅速かつ確実に効率よく増設せしめ、また、撤去せ
しめることが出来るものである。
【００２２】
なお、上記実施例において、脚体２を構成するベ−ス部材３は略方形格子枠状とされて
いるが、これに限定されるものでなく、略方形板状等に形成せしめてもよい。また、カバ
−パネル８は矩形状に形成され、各々脚体２の半部をカバ−せしめるものとされているが
、これに限定されるものでなく、脚体２の全面をカバ−せしめるべく所要の大きさに形成
せしめてもよいものである。
【符号の説明】
【００２３】
１  配線用フロアパネル
２  脚体
３  ベ−ス部材
４  脚柱
６  脚柱
７  配線用取出しスペース
８  カバ−パネル
９  配線溝
１０  掛止用フランジ
１１  配線用取出し口
１２  置敷きフロアパネル
【図１】
2011190662.tif 000003
【図２】
2011190662.tif 000004
【図３】
2011190662.tif 000005
【図４】
2011190662.tif 000006
【図５】
2011190662.tif 000007
【図６】
2011190662.tif 000008